(57)【特許請求の範囲】
【請求項１】
無線通信を行う対象となる外部無線通信端末を識別するための無線通信端末識別通信手段と、他の外部無線通信端末と無線通信する無線通信手段と、前記無線通信端末識別通信手段と前記無線通信手段との切り替える制御を行う制御手段と、前記制御手段からの制御により前記無線通信端末識別通信手段と前記無線通信手段とを切り替えるスイッチ手段とを備えた無線通信端末において、
前記無線通信端末識別通信手段は、微弱電波により外部無線通信端末と信号を送受信する無線通信端末識別通信送受信手段を有し、前記無線通信端末識別通信送受信手段を用いて、外部無線通信端末情報を求める信号を送信し、前記信号を受信した外部無線通信端末からの応答信号を受信し、前記応答信号から外部無線通信端末情報をリストアップして接続可能な外部無線通信端末として識別し、
前記制御手段は、前記無線通信端末識別通信手段にリストアップされた外部無線通信端末から通信相手となる外部無線通信端末を識別させ、前記スイッチ手段に対し無線通信端末識別通信手段から前記無線通信手段に切り替え制御し、
前記無線通信手段は、前記制御手段の前記切り替え制御に基づいて、前記スイッチ手段によって無線通信端末識別通信手段から前記無線通信手段へ切り替えられた後に、前記無線通信端末識別通信手段により識別された前記外部無線通信端末と通信する
ことを特徴とする無線通信端末。
【請求項２】
前記無線通信端末識別通信手段は、さらに、識別した前記外部無線通信端末に対して接続要求信号を送信し、前記外部無線通信端末と無線通信用ＩＤを交換し、
前記無線通信手段は、交換した前記無線通信用ＩＤを用いて前記外部無線通信端末と通信する
ことを特徴とする請求項１に記載の無線通信端末。
【請求項３】
前記無線通信端末識別通信手段は、周期的に外部無線通信端末情報を求める信号を送信し、前記信号を受信した外部無線通信端末からの応答信号から外部無線通信端末情報をリストアップすることを特徴とする請求項１または２に記載の無線通信端末。
【請求項４】
無線通信を行う対象となる外部無線通信端末を識別するための無線通信端末識別通信手段と、他の外部無線通信端末と無線通信する無線通信手段と、前記無線通信端末識別通信手段と前記無線通信手段との切り替える制御を行う制御手段と、前記制御手段からの制御により前記無線通信端末識別通信手段と前記無線通信手段とを切り替えるスイッチ手段とを備えた無線通信端末において、
前記無線通信端末識別通信手段は、微弱電波により外部無線通信端末と信号を送受信する無線通信端末識別通信送受信手段を有し、前記無線通信端末識別通信送受信手段を用いて、外部無線通信端末からの外部無線通信端末情報を求める信号を受信し、前記信号を送信した前記外部無線通信端末へ外部無線通信端末情報を含む応答信号を送信し、および前記外部無線通信端末からの接続要求信号を受信し、前記接続要求信号を送信した前記外部無線通信端末と外部無線通信用の無線通信用ＩＤを交換し、
前記制御手段は、前記スイッチ手段に対し、前記外部無線通信端末との通信を、無線通信端末識別通信手段から前記無線通信手段に切り替え制御し、
前記無線通信手段は、前記制御手段の前記切り替え制御に基づいて、前記スイッチ手段によって前記無線通信端末識別通信手段から前記無線通信手段へ切り替えられた後に、交換した前記無線通信用ＩＤを用いて前記外部無線通信端末と通信する
ことを特徴とする無線通信端末。
【請求項５】
請求項１乃至４のいずれかに記載の無線通信端末において、
前記無線通信手段は、音声信号、制御信号および／またはデータ信号のいずれかのうち少なくとも１つを送受信することを特徴とする無線通信端末。
【請求項６】
無線通信を行う対象となる外部無線通信端末を識別するための無線通信端末識別通信手段と、他の外部無線通信端末と無線通信する無線通信手段と、前記無線通信端末識別通信手段と前記無線通信手段との切り替える制御を行う制御手段と、前記制御手段からの制御により前記無線通信端末識別通信手段と前記無線通信手段とを切り替えるスイッチ手段とを備えた無線通信端末の無線通信方法であって、
前記無線通信端末識別通信手段は、微弱電波により外部無線通信端末と信号を送受信する無線通信端末識別通信送受信手段を有し、前記無線通信端末識別通信手段において、前記無線通信端末識別通信送受信手段を用いて、
外部無線通信端末情報を求める信号を送信するステップと、
前記信号を受信した外部無線通信端末からの応答信号を受信し、外部無線通信端末情報をリストアップして接続可能な外部無線通信端末として識別するステップと、
前記制御手段において、前記無線通信端末識別通信手段にリストアップされた外部無線通信端末から通信相手となる外部無線通信端末を識別させ、前記スイッチ手段に対し無線通信端末識別通信手段から前記無線通信手段に切り替え制御するステップと、
前記スイッチ手段において、前記制御手段の前記切り替え制御に基づいて、前記無線通信端末識別通信手段から前記無線通信手段へ切り替えるステップと、
前記無線通信手段において、前記無線通信端末識別手段により識別された前記外部無線通信端末と無線通信するステップと
を含むことを特徴とする無線通信方法。
【請求項７】
前記無線通信端末識別通信手段において、識別前記外部無線通信端末に対して接続要求信号を送信し、前記外部無線通信端末と無線通信用ＩＤを交換するステップをさらに含み、
前記無線通信手段における前記外部無線通信端末と無線通信する前記ステップは、交換した前記無線通信用ＩＤを用いて行われる
ことを特徴とする請求項６に記載の無線通信方法。
【請求項８】
前記無線通信端末識別通信手段における、外部無線通信端末情報を求める信号を送信する前記ステップと、前記信号を受信した外部無線通信端末からの応答信号を受信し、外部無線通信端末情報をリストアップして接続可能な外部無線通信端末として識別する前記ステップは、周期的に行われることを特徴とする請求項６または７に記載の無線通信方法。
【請求項９】
無線通信を行う対象となる外部無線通信端末を識別するための無線通信端末識別通信手段と、他の外部無線通信端末と無線通信する無線通信手段と、前記無線通信端末識別通信手段と前記無線通信手段との切り替える制御を行う制御手段と、前記制御手段からの制御により前記無線通信端末識別通信手段と前記無線通信手段とを切り替えるスイッチ手段とを備えた無線通信端末の無線通信方法であって、
前記無線通信端末識別通信手段において、微弱電波により外部無線通信端末と信号を送受信する無線通信端末識別通信送受信手段を有し、前記無線通信端末識別通信手段において、前記無線通信端末識別通信送受信手段を用いて、
外部無線通信端末からの外部無線通信端末情報を求める信号を受信し、前記信号を送信した外部無線通信端末へ外部無線通信端末情報を含む応答信号を送信するステップと、
前記外部無線通信端末から接続要求信号を受信し、前記接続要求信号を送信した前記外部無線通信端末と外部無線通信用の無線通信用ＩＤを交換するステップと、
前記制御手段において、前記スイッチ手段に対し、前記外部無線通信端末との通信を、無線通信端末識別通信手段から前記無線通信手段に切り替え制御するステップと、
前記スイッチ手段において、前記制御手段の前記切り替え制御に基づいて、前記無線通信端末識別通信手段から前記無線通信手段へ切り替えるステップと、
前記無線通信手段において、前記制御手段の前記切り替え制御に基づいて、前記スイッチ手段によって前記無線通信端末識別通信手段から前記無線通信手段へ切り替えられた後に、交換した前記無線通信用ＩＤを用いて前記外部無線通信端末と無線通信するステップと
を含むことを特徴とする無線通信方法。
【請求項１０】
請求項６乃至９のいずれかに記載の無線通信方法において、
前記外部無線通信端末と無線通信する前記ステップは、音声信号、制御信号および／またはデータ信号のいずれかのうち少なくとも１つを送受信することを特徴とする無線通信方法。
【発明の詳細な説明】
【０００１】
【発明の属する技術分野】
本発明は、無線通信端末および無線通信方法に関する。
【０００２】
【従来の技術】
現在、情報端末においては、無線通信機能を搭載し、外部の端末と直接的な無線通信を可能とする端末の提案がなされている。この無線通信機能搭載端末（以下「無線通信端末」という。）では、外部無線通信端末とのコネクタによる接続を廃止し、無線通信による接続とすることで、端末の小型化、外部無線通信端末との接続の簡易化、接続機器の多様化が見込まれている。
【０００３】
一方、これらのメリットがある反面、全ての無線通信端末は、電波の到達する範囲内に存在する無線通信端末の全てがその無線通信の接続対象となり得てしまうため、これらの中から任意の通信相手を識別、特定して通信を開始する機能が必要となる。
【０００４】
従来技術では、例えばＢｌｕｅｔｏｏｔｈ規格に規定されているＩｎｑｕｉｒｙモードのように、電波の到達する範囲内に存在する全ての接続対象となるＢｌｕｅｔｏｏｔｈ搭載端末に対して、それらの端末の情報提示を求める信号を送信し、得られたすべての端末からの端末属性情報の中から任意の通信相手を選択し、接続を求める方法が挙げられる（「Ｓｐｅｃｉｆｉｃａｔｉｏｎ  ｏｆ  ｔｈｅ  Ｂｌｕｅｔｏｏｔｈ  Ｓｙｓｔｅｍ  Ｖｅｒｓｉｏｎ１．０Ａ」、１９９９年、Ｂｌｕｅｔｏｏｔｈ  ＳＩＧ、第１０８頁参照）。本文献では、接続要求の際にはランダムな時間間隔をおいて応答信号を送るよう各機器に指示し、他のＢｌｕｅｔｏｏｔｈ搭載端末からの応答信号の衝突を避ける技術が提案されている。同様の技術は電波を利用した無線通信においても適用されている。
【０００５】
【発明が解決しようとする課題】
従来技術による無線通信端末では、接続する他の無線通信端末を選択する際に、個人的に利用される携帯電話機とノートパソコンとを接続する場合のように、あらかじめ端末に接続相手を認識させておくことが可能な場合と、会議の場における電子名刺交換の場合のように、電波の到達する範囲内に存在する特定の無線通信端末との接続が必要となる場合とが考えられる。前者の場合には問題は生じないが、後者の場合には、例えば会議室の中などで、通信の対象となり得る無線通信端末が多数存在する場合には、多数の無線通信端末から接続を希望する端末を特定する必要があり、操作が煩わしいという問題点がある。
【０００６】
また、今日のように情報端末が普及し、会議室、列車の車両の中、喫茶店などの限られたエリアの中に多数の無線通信機能を搭載した端末の使用が想定される環境においても、外部無線通信端末との接続を円滑に行わせるためには、接続相手の選択肢を絞り、接続相手の特定を容易にする方法の考案が必要となる。しかし、従来の技術では、無線通信利用時に接続対象となり得る、同等の無線通信機能を持つ無線通信端末が電波の到達する範囲内に数多く存在するような環境においては、多くの無線通信端末の中から接続相手を選択しなければならず、端末の特定が煩わしく、操作性に欠けるという問題点がある。
【０００７】
本発明の目的は、上記問題点に鑑み、数多くの無線通信端末が電波の到達する範囲内に存在する場合にも接続相手の特定が容易となるように、電波の強度および／または感度を制限した通信機能によって接続相手を特定する機能を有する無線通信端末および無線通信方法を提供することにある。
【０００８】
【課題を解決するための手段】
請求項１に記載の発明は、無線通信端末であって、無線通信を行う対象となる外部無線通信端末を識別するための無線通信端末識別通信手段と、他の外部無線通信端末と無線通信する無線通信手段と、前記無線通信端末識別通信手段と前記無線通信手段との切り替える制御を行う制御手段と、前記制御手段からの制御により前記無線通信端末識別通信手段と前記無線通信手段とを切り替えるスイッチ手段とを備えた無線通信端末において、前記無線通信端末識別通信手段は、微弱電波により外部無線通信端末と信号を送受信する無線通信端末識別通信送受信手段を有し、前記無線通信端末識別通信送受信手段を用いて、外部無線通信端末情報を求める信号を送信し、前記信号を受信した外部無線通信端末からの応答信号を受信し、前記応答信号から外部無線通信端末情報をリストアップして接続可能な外部無線通信端末として識別し、前記制御手段は、前記無線通信端末識別通信手段にリストアップされた外部無線通信端末から通信相手となる外部無線通信端末を識別させ、前記スイッチ手段に対し無線通信端末識別通信手段から前記無線通信手段に切り替え制御し、前記無線通信手段は、前記制御手段の前記切り替え制御に基づいて、前記スイッチ手段によって無線通信端末識別通信手段から前記無線通信手段へ切り替えられた後に、前記無線通信端末識別通信手段により識別された前記外部無線通信端末と通信することを特徴とする。
【０００９】
請求項２に記載の発明は、請求項１に記載の無線通信端末であって、前記無線通信端末識別通信手段は、さらに、識別した前記外部無線通信端末に対して接続要求信号を送信し、前記外部無線通信端末と無線通信用ＩＤを交換し、前記無線通信手段は、交換した前記無線通信用ＩＤを用いて前記外部無線通信端末と通信することを特徴とする。
【００１０】
請求項３に記載の発明は、請求項１または２に記載の無線通信端末であって、前記無線通信端末識別通信手段は、周期的に外部無線通信端末情報を求める信号を送信し、前記信号を受信した外部無線通信端末からの応答信号から外部無線通信端末情報をリストアップすることを特徴とする。
【００１１】
請求項４に記載の発明は、無線通信端末であって、無線通信を行う対象となる外部無線通信端末を識別するための無線通信端末識別通信手段と、他の外部無線通信端末と無線通信する無線通信手段と、前記無線通信端末識別通信手段と前記無線通信手段との切り替える制御を行う制御手段と、前記制御手段からの制御により前記無線通信端末識別通信手段と前記無線通信手段とを切り替えるスイッチ手段とを備えた無線通信端末において、前記無線通信端末識別通信手段は、微弱電波により外部無線通信端末と信号を送受信する無線通信端末識別通信送受信手段を有し、前記無線通信端末識別通信送受信手段を用いて、外部無線通信端末からの外部無線通信端末情報を求める信号を受信し、前記信号を送信した前記外部無線通信端末へ外部無線通信端末情報を含む応答信号を送信し、および前記外部無線通信端末からの接続要求信号を受信し、前記接続要求信号を送信した前記外部無線通信端末と外部無線通信用の無線通信用ＩＤを交換し、前記制御手段は、前記スイッチ手段に対し、前記外部無線通信端末との通信を、無線通信端末識別通信手段から前記無線通信手段に切り替え制御し、前記無線通信手段は、前記制御手段の前記切り替え制御に基づいて、前記スイッチ手段によって前記無線通信端末識別通信手段から前記無線通信手段へ切り替えられた後に、交換した前記無線通信用ＩＤを用いて前記外部無線通信端末と通信することを特徴とする。
【００１２】
請求項５に記載の発明は、無線通信端末であって、請求項１乃至４のいずれかに記載の無線通信端末において、前記無線通信手段は、音声信号、制御信号および／またはデータ信号のいずれかのうち少なくとも１つを送受信することを特徴とする。
【００１３】
請求項６に記載の発明は、無線通信方法であって、無線通信を行う対象となる外部無線通信端末を識別するための無線通信端末識別通信手段と、他の外部無線通信端末と無線通信する無線通信手段と、前記無線通信端末識別通信手段と前記無線通信手段との切り替える制御を行う制御手段と、前記制御手段からの制御により前記無線通信端末識別通信手段と前記無線通信手段とを切り替えるスイッチ手段とを備えた無線通信端末の無線通信方法であって、前記無線通信端末識別通信手段は、微弱電波により外部無線通信端末と信号を送受信する無線通信端末識別通信送受信手段を有し、前記無線通信端末識別通信手段において、前記無線通信端末識別通信送受信手段を用いて、外部無線通信端末情報を求める信号を送信するステップと、前記信号を受信した外部無線通信端末からの応答信号を受信し、外部無線通信端末情報をリストアップして接続可能な外部無線通信端末として識別するステップと、前記制御手段において、前記無線通信端末識別通信手段にリストアップされた外部無線通信端末から通信相手となる外部無線通信端末を識別させ、前記スイッチ手段に対し無線通信端末識別通信手段から前記無線通信手段に切り替え制御するステップと、前記スイッチ手段において、前記制御手段の前記切り替え制御に基づいて、前記無線通信端末識別通信手段から前記無線通信手段へ切り替えるステップと、前記無線通信手段において、前記無線通信端末識別手段により識別された前記外部無線通信端末と無線通信するステップとを含むことを特徴とする。
【００１４】
請求項７に記載の発明は、請求項６に記載の無線通信方法であって、前記無線通信端末識別通信手段において、識別前記外部無線通信端末に対して接続要求信号を送信し、前記外部無線通信端末と無線通信用ＩＤを交換するステップをさらに含み、前記無線通信手段における前記外部無線通信端末と無線通信する前記ステップは、交換した前記無線通信用ＩＤを用いて行われることを特徴とする。
【００１５】
請求項８に記載の発明は、請求項６または７に記載の無線通信方法であって、前記無線通信端末識別通信手段における、外部無線通信端末情報を求める信号を送信する前記ステップと、前記信号を受信した外部無線通信端末からの応答信号を受信し、外部無線通信端末情報をリストアップして接続可能な外部無線通信端末として識別する前記ステップは、周期的に行われることを特徴とする。
【００１６】
請求項９に記載の発明は、無線通信方法であって、無線通信を行う対象となる外部無線通信端末を識別するための無線通信端末識別通信手段と、他の外部無線通信端末と無線通信する無線通信手段と、前記無線通信端末識別通信手段と前記無線通信手段との切り替える制御を行う制御手段と、前記制御手段からの制御により前記無線通信端末識別通信手段と前記無線通信手段とを切り替えるスイッチ手段とを備えた無線通信端末の無線通信方法であって、前記無線通信端末識別通信手段において、微弱電波により外部無線通信端末と信号を送受信する無線通信端末識別通信送受信手段を有し、前記無線通信端末識別通信手段において、前記無線通信端末識別通信送受信手段を用いて、外部無線通信端末からの外部無線通信端末情報を求める信号を受信し、前記信号を送信した外部無線通信端末へ外部無線通信端末情報を含む応答信号を送信するステップと、前記外部無線通信端末から接続要求信号を受信し、前記接続要求信号を送信した前記外部無線通信端末と外部無線通信用の無線通信用ＩＤを交換するステップと、前記制御手段において、前記スイッチ手段に対し、前記外部無線通信端末との通信を、無線通信端末識別通信手段から前記無線通信手段に切り替え制御するステップと、前記スイッチ手段において、前記制御手段の前記切り替え制御に基づいて、前記無線通信端末識別通信手段から前記無線通信手段へ切り替えるステップと、前記無線通信手段において、前記制御手段の前記切り替え制御に基づいて、前記スイッチ手段によって前記無線通信端末識別通信手段から前記無線通信手段へ切り替えられた後に、交換した前記無線通信用ＩＤを用いて前記外部無線通信端末と無線通信するステップとを含むことを特徴とする。
【００１７】
請求項１０に記載の発明は、請求項６乃至９のいずれかに記載の無線通信方法であって、前記外部無線通信端末と無線通信する前記ステップは、音声信号、制御信号および／またはデータ信号のいずれかのうち少なくとも１つを送受信することを特徴とする。
【００２０】
【発明の実施の形態】
以下、図面を参照しながら、本発明の実施形態について詳細に説明する。
【００２１】
（第１実施形態）
図１は、本発明の第１実施形態が適用される無線通信端末の構成の一例を示す図であり、無線通信端末の構成のうち本発明に関係する部分のみを概念的に示している。
【００２２】
本実施形態の電波の強度および／または感度を制限した通信機能による接続相手特定機能付き無線通信端末１０は、少なくとも、無線通信を切り替える制御を行う制御部１と、電波の強度および／または感度を制限した通信機能と無線通信の伝送路とを切り替えるスイッチ部２と、無線通信を行う対象となる外部無線通信端末を識別するために電波の強度および／または感度を制限した通信を行う機能、すなわち、例えば微弱電波により通信を行う機能を有する無線通信端末識別通信部２０と、音声信号、制御信号またはデータ信号等を他の外部無線通信端末と送受信する無線通信機能を有する無線通信部３０とから構成される。また、無線通信端末識別通信部２０は、外部無線通信端末との電波の強度および／または感度を制限した通信機能を制御する無線通信端末識別通信制御部３と、外部無線通信端末との間で電波の強度および／または感度を制限した通信により信号を送受信する無線通信端末識別通信送受信部４とを含んで成る。また、無線通信部３０は、無線通信用ＩＤを用いて通信相手を特定して外部無線通信端末と無線通信を行うように無線送受信部６を制御する無線通信制御部５と、無線電波を送受信する機能を有する無線送受信部６とを含んで成る。
【００２３】
次に、このように構成された本実施の形態における無線通信端末の動作の一例について、以下に図２を参照して詳細に説明する。
【００２４】
図２は、本発明の第１実施形態における無線通信端末による接続手順の接続シーケンスを示す図である。本図においては、電波の強度および／または感度を制限した通信機能により特定の接続相手を識別して無線通信用ＩＤを取得し、無線通信路を確立するまでの接続シーケンスを示す。
【００２５】
通信相手の識別を行う場合、まず通信端末の無線通信端末識別通信部２０同士を近接させると、微弱電波を受信できる程近距離に存在する外部無線通信端末に対し、定期的に外部無線通信端末情報を求める信号を送信し、接続可能な外部無線通信端末をリストアップする。制御部１から無線通信端末識別通信部２０に対し、接続相手識別を行うよう指示が出されると（ステップＳ２０２）、リストアップされた外部無線通信端末情報の中から接続を求める端末を特定して接続要求信号が出され（ステップＳ２０４）、移動体識別機能による接続が確立される（ステップＳ２０６〜ステップＳ２１２）。この際に、無線通信端末識別機能用のＩＤアドレスとは別に、無線通信用のＩＤアドレスも同時に交換しておく。
【００２６】
ついで、無線通信端末識別機能により接続相手を特定し、通信路を確立した後、制御部１はスイッチ部２に対し、通信路を無線通信に切り替えるよう指示を出す（ステップＳ２１４）。
【００２７】
ついで、スイッチ部２は通信路を無線通信に切り替え（ステップＳ２１６）、切り替え完了を制御部１に通知する（ステップＳ２１８）。
【００２８】
ついで、制御部１は無線通信に通信路が切り替わったことを認識し、無線通信部３０に対し、無線通信を開始するよう指示を出す（ステップＳ２２０）。この時同時に、無線通信端末識別機能を用いて接続した際に得た、相手側の無線通信用のＩＤを通知する。
【００２９】
ついで、無線通信部３０は取得した相手側の無線通信用ＩＤを用いることにより、接続相手を特定して無線通信機能による接続、通信を開始することが可能となる（ステップＳ２２２〜ステップＳ２３０）。
【００３０】
（第２実施形態）
図３は、本発明の第２実施形態が適用される無線通信端末の構成の一例を示す図であり、無線通信端末の構成のうち本発明に関係する部分のみを概念的に示している。本実施形態において、電界強度制限による接続相手特定機能を有する無線通信端末を一例に説明する。
【００３１】
無線通信端末１０は、少なくとも制御部１００と無線通信部１０１と電界強度測定部１０３とから構成させる。
【００３２】
制御部１００は、無線通信部１０１および電界強度測定部１０３に接続され、ある基準以上の電界強度で信号を送信してきた外部無線通信端末の中から接続相手を特定するように制御を行う機能を有する。
【００３３】
無線通信部１０１は、制御部１００および電界強度測定部１０３に接続され、無線通信制御部１０２と受信部１０４と送信部１０５とアンテナ部１０６とを含んで成り、無線通信を行う機能を有する。ここで、無線通信制御部１０２は、制御部１００、受信部１０４および送信部１０５に接続され、無線通信の制御を行う機能を有する。また、受信部１０４は、無線通信制御部１０２、電界強度測定部１０３およびアンテナ部１０６に接続され、無線通信制御部１０２の制御下でアンテナ部１０６で受信した電波から信号を受信し、電界強度測定部１０３に送信する機能を有する。また、送信部１０５は、無線通信制御部１０２およびアンテナ部１０６に接続され、無線通信制御部１０２の制御下で信号をアンテナ部１０６に送信する機能を有する。また、アンテナ部１０６は、受信部１０４および送信部１０５に接続され、外部無線通信端末と電波を送受信する機能を有する。
【００３４】
電界強度測定部１０３は、制御部１００および受信部１０４に接続され、制御部１００の制御下で受信部１０４から受信した信号の電界強度を測定する機能を有する。
【００３５】
次に、このように構成された本発明の第２実施形態における無線通信端末の動作の一例について、以下に図４を参照して詳細に説明する。
【００３６】
図４は、本実施の形態における無線通信端末による接続手順の接続シーケンスを示す図である。本図においては、電界強度測定により接続相手を特定し、無線通信路が確立されるまでの接続シーケンスを示す。
【００３７】
通信相手の識別を行う場合、まず外部無線通信端末の端末属性情報要求が制御部１００から無線通信制御部１０２へ指示され（ステップＳ４０２）、端末属性情報要求信号が外部無線通信端末に送信される（ステップＳ４０６）。同時に制御部１から電界強度制御部３へ、返答される信号の電界強度を測定するよう指示する（ステップＳ４０４）。
【００３８】
ついで、外部無線通信端末からの応答信号（ステップＳ４０８〜ステップＳ４１２）の電界強度を電界強度測定部１０３で測定し（ステップＳ４１４）、測定結果を制御部１００へ通知する（ステップＳ４１６）。同時に、無線通信制御部１０２を経由して制御部１００に端末属性情報が通知される（ステップＳ４１８）。
【００３９】
ついで、制御部１００は、電界強度の測定結果を元に、ある基準以上の電界強度で応答信号を送信してきた外部無線通信端末を接続相手に特定し、接続要求を行うよう無線通信制御部１０２へ指示を行う（ステップＳ４２０）。
【００４０】
ついで、無線通信制御部１０２は接続要求信号を送信するよう指示し、応答信号を得て（ステップＳ４２２〜ステップＳ４３０）、無線伝送路が確立される。
【００４１】
（第３実施形態）
図５は、本発明の第３実施形態が適用される無線通信端末の構成の一例を示す図であり、無線通信端末の構成のうち本発明に関係する部分のみを概念的に示している。本実施形態において、送信電力制御による接続相手特定機能を有する無線通信端末を一例に説明する。
【００４２】
無線通信端末１０は、少なくとも制御部１００と無線通信部１０１と送信電力制御部１０７とから構成させる。
【００４３】
制御部１００は、無線通信部１０１および送信電力制御部１０７に接続され、信号を送信してきた外部無線通信端末の中から接続相手を特定するように制御を行う機能を有する。
【００４４】
無線通信部１０１は、制御部１００および送信電力制御部１０７に接続され、無線通信制御部１０２と受信部１０４と送信部１０５とアンテナ部１０６とを含んで成り、無線通信を行う機能を有する。ここで、無線通信制御部１０２は、制御部１００、受信部１０４および送信部１０５に接続され、無線通信の制御を行う機能を有する。また、受信部１０４は、無線通信制御部１０２およびアンテナ部１０６に接続され、無線通信制御部１０２の制御下でアンテナ部１０６で受信した電波から信号を受信する機能を有する。また、送信部１０５は、無線通信制御部１０２、アンテナ部１０６および送信電力制御部１０７に接続され、無線通信制御部１０２の制御下で送信電力制御部１０７により送信電力を制御された信号をアンテナ部１０６に送信する機能を有する。また、アンテナ部１０６は、受信部１０４および送信部１０５に接続され、外部無線通信端末と電波を送受信する機能を有する。
【００４５】
送信電力制御部１０７は、制御部１００および送信部１０５に接続され、制御部１００の制御下で送信部１０５が送信する信号の送信電力制御を行う機能を有する。
【００４６】
次に、このように構成された本発明の第３実施形態における無線通信端末の動作の一例について、以下に図６を参照して詳細に説明する。
【００４７】
図６は、本実施の形態における無線通信端末による接続手順の接続シーケンスを示す図である。本図においては、送信電力制御により接続相手を特定し、無線通信路が確立されるまでの接続シーケンスを示す。
【００４８】
通信相手の識別を行う場合、送信電力制御部１０７で電力を制御し、端末属性情報要求信号を送信する（ステップＳ６０２〜Ｓ６０６）。
【００４９】
ついで、近距離に存在する外部無線通信端末から応答信号が送信され、受信部１０４で受信される（ステップＳ６０８〜ステップＳ６１２）。制御部１００では、応答信号を送信してきた外部無線通信端末の中から接続を求める外部無線通信端末を選択し、通信を開始するよう無線通信制御部１０２に対し指示を行う（ステップＳ６１４〜ステップＳ６１６）。指示を受けて、無線通信制御部１０２から送信部に指示が出され（ステップＳ６１６）、接続要求信号が送信される（ステップＳ６１８）。
【００５０】
ついで、応答信号を受信することにより（ステップＳ６２０〜ステップＳ６２６）、無線通信路が確立され、接続相手を特定して無線通信機能による接続、通信が可能となる。
【００５１】
（第４実施形態）
図７は、本発明の第４実施形態が適用される無線通信端末の構成の一例を示す図であり、無線通信端末の構成のうち本発明に関係する部分のみを概念的に示している。本実施形態において、受信感度制御による接続相手特定機能を有する無線通信端末を一例に説明する。
【００５２】
無線通信端末１０は、少なくとも制御部１００と無線通信部１０１と受信感度制御部１０８とから構成させる。
【００５３】
制御部１００は、無線通信部１０１および受信感度制御部１０８に接続され、信号を受信した外部無線通信端末の中から接続相手を特定するように制御を行う機能を有する。
【００５４】
無線通信部１０１は、制御部１００および受信感度制御部１０８に接続され、無線通信制御部１０２と受信部１０４と送信部１０５とアンテナ部１０６とを含んで成り、無線通信を行う機能を有する。ここで、無線通信制御部１０２は、制御部１００、受信部１０４および送信部１０５に接続され、無線通信の制御を行う機能を有する。また、受信部１０４は、無線通信制御部１０２、受信感度制御部１０８およびアンテナ部１０６に接続され、無線通信制御部１０２の制御下で受信感度制御部１０８により調節された受信感度で、アンテナ部１０６において受信した電波から信号を受信する機能を有する。また、送信部１０５は、無線通信制御部１０２およびアンテナ部１０６に接続され、無線通信制御部１０２の制御下で信号をアンテナ部１０６に送信する機能を有する。また、アンテナ部１０６は、受信部１０４および送信部１０５に接続され、外部無線通信端末と電波を送受信する機能を有する。
【００５５】
受信感度制御部１０８は、制御部１００および受信部１０４に接続され、制御部１００の制御下で受信部１０４の受信感度を制御し、至近距離に存在する外部無線通信端末からの信号のみ検知可能に調節する機能を有する。
【００５６】
次に、このように構成された本発明の第４実施形態における無線通信端末の動作の一例について、以下に図８を参照して詳細に説明する。
【００５７】
図８は、本実施の形態における無線通信端末による接続手順の接続シーケンスを示す図である。本図においては、受信感度制御により接続相手を特定し、無線通信路が確立されるまでの接続シーケンスを示す。
【００５８】
通信相手の識別を行う場合、まず外部無線通信端末の端末属性情報要求が制御部１００から無線通信制御部１０２へ指示され（ステップＳ８０２）、端末属性情報要求信号が外部無線通信端末に送信される（ステップＳ８０６）。同時に制御部１００から受信感度制御部１０８に対して、受信部１０４での受信感度を劣化させ、近距離に存在する一部の外部無線通信端末から送信された応答信号しか受信できないよう指示される（ステップＳ８０４）。
【００５９】
ついで、近距離に存在する一部の外部無線通信端末の端末属性情報のみが無線通信制御部１０２を経由し制御部１００へ通知される（ステップＳ８０８〜ステップＳ８１４）。
【００６０】
ついで、制御部１００は得た端末属性情報のリストの中から接続を求める外部無線通信端末を特定し、接続要求を行うよう無線通信制御部１０２へ指示を行う（ステップＳ８１６）。
【００６１】
ついで、無線通信制御部１０２は接続要求信号を送信するよう指示し、応答信号を得て（ステップＳ８１８〜ステップＳ８２６）、無線伝送路が確立される。
【００６２】
（第５実施形態）
図９は、本発明の第５実施形態が適用される無線通信端末の構成の一例を示す図であり、無線通信端末の構成のうち本発明に関係する部分のみを概念的に示している。本実施形態において、受信感度制御による接続相手特定機能を有する無線通信端末を一例に説明する。
【００６３】
無線通信端末１０は、少なくとも制御部１００と無線通信部１０１とから構成させる。
【００６４】
制御部１００は、無線通信部１０１に接続され、信号を受信した外部無線通信端末の中から接続相手を特定するように制御を行う機能を有する。
【００６５】
無線通信部１０１は、制御部１００に接続され、無線通信制御部１０２と受信部１０４と送信部１０５とアンテナ部１０６と誤り訂正方式変更部１０９とを含んで成り、無線通信を行う機能を有する。ここで、無線通信制御部１０２は、制御部１００および誤り訂正方式変更部１０９に接続され、無線通信の制御を行う機能を有する。また、受信部１０４は、誤り訂正方式変更部１０９およびアンテナ部１０６に接続され、無線通信制御部１０２の制御下で、アンテナ部１０６において受信した電波から信号を受信する機能を有する。また、送信部１０５は、誤り訂正方式変更部１０９およびアンテナ部１０６に接続され、無線通信制御部１０２の制御下で信号をアンテナ部１０６に送信する機能を有する。また、アンテナ部１０６は、受信部１０４および送信部１０５に接続され、外部無線通信端末と電波を送受信する機能を有する。誤り訂正方式変更部１０９は、無線通信制御部１０２、受信部１０４および送信部１０５に接続され、送受信する信号の誤り訂正方式を変更する機能を有し、特に、送信する端末属性情報要求信号の誤り訂正方式を変更し、近距離に存在する一部の外部無線通信端末しか適切に受信できないように制御を行う機能を有する。
【００６６】
次に、このように構成された本発明の第５実施形態における無線通信端末の動作の一例について、以下に図１０を参照して詳細に説明する。
【００６７】
図１０は、本実施の形態における無線通信端末による接続手順の接続シーケンスを示す図である。本図においては、誤り訂正方式の変更により接続相手を特定し、無線通信路が確立されるまでの接続シーケンスを示す。
【００６８】
通信相手の識別を行う場合、まず、誤り訂正方式変更部で誤り訂正方式を劣化させて端末属性情報要求信号を送信する（ステップＳ１００２）。
【００６９】
ついで、近距離に存在する外部無線通信端末から応答信号が返信され、受信部１０４で受信される（ステップＳ１００４〜１０１０）。
【００７０】
ついで、制御部１００では、応答信号を送信してきた、近距離に存在する外部無線通信端末の中から接続を求める外部無線通信端末を選択し、通信を開始するよう無線通信制御部１０２に対し指示を行う（ステップＳ１０１２〜１０１４）。
【００７１】
ついで、指示を受けて、無線通信制御部１０２から送信部１０５に指示が出され（ステップＳ１０１４）、接続要求信号が送信され（ステップＳ１０１６）、応答信号を受信することにより（ステップＳ１０１８〜１０２４）、無線通信路が確立され、接続相手を特定して無線通信機能による接続、通信が可能となる。
【００７２】
（他の実施の形態）
上述した実施の形態においては、各実施形態を独立に実現する場合を一例に説明したが、本発明はこの場合に限定されるものではなく、他の実施の形態においては、各実施形態を適宜組み合わせて実施することができることは当業者にとって自明である。
【００７３】
【発明の効果】
以上詳細に説明したように、本発明によれば、１つまたは２つ以上の無線通信端末との間で無線通信を行う無線通信手段と、無線通信手段により受信した信号の電界強度を測定する電界強度測定手段と、あらかじめ定めた閾値以上の電界強度で信号を送信してきた無線通信端末を接続相手として特定する接続相手特定手段とを備え、接続相手特定手段により特定された無線通信端末との間で、無線通信手段により無線通信を行うので、本端末と同等の無線通信機能を持つ外部無線通信端末との接続、通信を行う際に、電波の到達する範囲内に多くの無線通信端末の使用が想定される場合にも、電界強度を制限した通信機能を用いることにより容易に接続相手を発見、特定し通信を開始することができる。
【００７４】
また、本発明によれば、１つまたは２つ以上の無線通信端末との間で無線通信を行う無線通信手段と、近距離に存在する無線通信端末のみが検知できるように、無線通信手段により送信する信号の送信電力を制御する送信電力制御手段とを備え、送信された信号を検知できる範囲内に存在する無線通信端末を接続相手として特定して、無線通信手段により無線通信を行うので、本端末と同等の無線通信機能を持つ外部無線通信端末との接続、通信を行う際に、電波の到達する範囲内に多くの無線通信端末の使用が想定される場合にも、送信電力を制限した通信機能を用いることにより容易に接続相手を発見、特定し通信を開始することができる。
【００７５】
また、本発明によれば、１つまたは２つ以上の無線通信端末との間で無線通信を行う無線通信手段と、近距離に存在する無線通信端末から送信された信号のみを検知できるように、無線通信手段により受信する信号の受信感度を制御する受信感度制御手段とを備え、送信された信号を検知できる範囲内に存在する無線通信端末を接続相手として特定して、無線通信手段により無線通信を行うので、本端末と同等の無線通信機能を持つ外部無線通信端末との接続、通信を行う際に、電波の到達する範囲内に多くの無線通信端末の使用が想定される場合にも、受信感度を制限した通信機能を用いることにより容易に接続相手を発見、特定し通信を開始することができる。
【００７６】
また、本発明によれば、１つまたは２つ以上の無線通信端末との間で無線通信を行う無線通信手段と、無線通信手段により送信する信号の誤り訂正方式を変更する誤り訂正方式変更手段とを備え、誤り訂正方式変更手段により送信する信号の誤り訂正方式を変更して誤り訂正後のエラー率を劣化させ、近距離に存在する無線通信端末以外は適切に信号を受信できないように制御を行うので、本端末と同等の無線通信機能を持つ外部無線通信端末との接続、通信を行う際に、電波の到達する範囲内に多くの無線通信端末の使用が想定される場合にも、誤り訂正を制限した通信機能を用いることにより容易に接続相手を発見、特定し通信を開始することができる。
【００７７】
さらに、本発明によれば、微弱電波の信号を送信する微弱電波信号送信手段と、微弱電波信号送信手段により送信した信号を受信した無線通信端末から送信された応答信号を受信する応答信号受信手段と、応答信号を送信した無線通信端末を無線送信対象の無線通信端末として識別する無線通信端末識別手段と、無線通信端末識別手段により識別された無線通信端末との間で無線通信する無線通信手段とを備えたので、本端末と同等の無線通信機能を持つ外部無線通信端末との接続、通信を行う際に、電波の到達する範囲内に多くの無線通信端末の使用が想定される場合にも、電波強度を制限した通信機能を用いることにより容易に接続相手を発見、特定し通信を開始することができる。
【図面の簡単な説明】
【図１】本発明の第１実施形態が適用される無線通信端末の構成の一例を示す図である。
【図２】本発明の第１実施形態の無線通信端末による接続手順の接続シーケンスを示す図である。
【図３】本発明の第２実施形態が適用される無線通信端末の構成の一例を示す図である。
【図４】本発明の第２実施形態の無線通信端末による接続手順の接続シーケンスを示す図である。
【図５】本発明の第３実施形態が適用される無線通信端末の構成の一例を示す図である。
【図６】本発明の第３実施形態の無線通信端末による接続手順の接続シーケンスを示す図である。
【図７】本発明の第４実施形態が適用される無線通信端末の構成の一例を示す図である。
【図８】本発明の第４実施形態の無線通信端末による接続手順の接続シーケンスを示す図である。
【図９】本発明の第５実施形態が適用される無線通信端末の構成の一例を示す図である。
【図１０】本発明の第５実施形態の無線通信端末による接続手順の接続シーケンスを示す図である。
【符号の説明】
１  制御部
２  スイッチ部
３  無線通信端末識別通信制御部
４  無線通信端末識別通信送受信部
５  無線通信制御部
６  無線送受信部
１０  無線通信端末
２０  無線通信端末識別通信部
３０  無線通信部
１００  制御部
１０１  無線通信部
１０２  無線通信制御部
１０３  電界強度測定部
１０４  受信部
１０５  送信部
１０６  アンテナ部
１０７  送信電力制御部
１０８  受信感度制御部
１０９  誤り訂正方式変更部
【図１】
0003670541.tif 000002
【図２】
0003670541.tif 000003
【図３】
0003670541.tif 000004
【図４】
0003670541.tif 000005
【図５】
0003670541.tif 000006
【図６】
0003670541.tif 000007
【図７】
0003670541.tif 000008
【図８】
0003670541.tif 000009
【図９】
0003670541.tif 000010
【図１０】
0003670541.tif 000011